(57)【要約】【課題】火災時に、障子の脱落を抑制することができる建具を提供する。【解決手段】建具は、縦枠１３には、障子側に突出する樹脂製の突出部５０が設けられ、突出部５０の障子側には、金属製の突出部補強部材１３０が設けられ、戸先框２３における対向する縦枠１３側の端面７７，７８には、内方に向かって凹み上下方向に延びるとともに、突出部５０に係合可能な凹溝Ｇ３が樹脂部材で形成され、凹溝Ｇ３において、屋内外方向に沿って配置される底面部６３には、第一加熱発泡材Ｆ４が設けられ、第一加熱発泡材Ｆ４における対向する縦枠１３側の面には、金属製の框補強部材１５０が設けられ、框補強部材１５０は、左右方向に沿って配置される見付け面部１５２，１５３を有するとともに、第一加熱発泡材Ｆ４の発泡時に対向する縦枠１３側に変位可能に戸先框２３に固定されていることを特徴とする。【選択図】図４
2019065484.tif 000002
【特許請求の範囲】
【請求項１】
上枠、下枠及び左右の縦枠を枠組みして構成される枠体と、
該枠体内にスライド可能に配置される障子と、を備え、
該障子は、上下方向に延びる戸先框及び召合せ框と、左右方向に延びる上框及び下框と、を有し、四方枠状に形成された框体を備え、
前記縦枠には、前記障子側に突出する樹脂製の突出部が設けられ、
該突出部の前記障子側には、金属製の突出部補強部材が設けられ、
前記戸先框における対向する前記縦枠側の端面には、内方に向かって凹み前記上下方向に延びるとともに、前記突出部に係合可能な凹溝が樹脂部材で形成され、
該凹溝において、屋内外方向に沿って配置される底面部には、第一加熱発泡材が設けられ、
該第一加熱発泡材における対向する前記縦枠側の面には、金属製の框補強部材が設けられ、
該框補強部材は、前記左右方向に沿って配置される見付け面部を有するとともに、前記第一加熱発泡材の発泡時に対向する前記縦枠側に変位可能に前記戸先框に固定されていることを特徴とする建具。
【請求項２】
前記見付け面部は、
前記突出部の屋外側に前記左右方向に沿って配置される第一見付け面部と、
前記突出部の屋内側に前記左右方向に沿って配置される第二見付け面部と、を有する請求項１に記載の建具。
【請求項３】
前記框補強部材は、前記第一加熱発泡材における対向する前記縦枠側の面に沿って配置される見込み面部を有し、
該見込み面部における対向する前記縦枠側の面には、第二加熱発泡材が設けられている請求項１または２に記載の建具。
【請求項４】
前記框補強部材は、前記上下方向に延びるとともに、上下両端部近傍で前記戸先框に固定されている請求項１から３のいずれか一項に記載の建具。
【請求項５】
前記第一加熱発泡材の発泡時に、前記第一加熱発泡材が前記見込み面部を対向する前記縦枠側に押圧することで、前記框補強部材は対向する前記縦枠側に変位可能とされている請求項３に記載の建具。
【請求項６】
前記縦枠の内部には、金属製の枠芯材が設けられ、
前記突出部には、前記突出部補強部材よりも前記障子から離間する側に、金属製の突出部芯材が設けられ、
前記枠芯材、前記突出部芯材及び前記突出部補強部材は、互いに連結されている請求項１から５のいずれか一項に記載の建具。
【発明の詳細な説明】
【技術分野】
【０００１】
本発明は、建具に関するものである。
【背景技術】
【０００２】
従来から、樹脂で障子枠や框が形成された樹脂サッシは、断熱性が高く、北海道等の寒冷地で使用されている（例えば、下記の特許文献１参照）。
【先行技術文献】
【特許文献】
【０００３】
【特許文献１】特開２０１６−４４５１９号公報
【発明の概要】
【発明が解決しようとする課題】
【０００４】
しかしながら、上記の特許文献１に記載されたような樹脂サッシは、火災時に高温に晒されると、樹脂部材で形成された框が溶融して、障子が障子枠から脱落してしまう虞がある。
【０００５】
そこで、本発明は、上記事情に鑑みてなされたものであり、火災時に、障子の脱落を抑制することができる建具を提供する。
【課題を解決するための手段】
【０００６】
上記目的を達成するために、本発明は以下の手段を採用している。
すなわち、本発明に係る建具は、上枠、下枠及び左右の縦枠を枠組みして構成される枠体と、該枠体内にスライド可能に配置される障子と、を備え、該障子は、上下方向に延びる戸先框及び召合せ框と、左右方向に延びる上框及び下框と、を有し、四方枠状に形成された框体を備え、前記縦枠には、前記障子側に突出する樹脂製の突出部が設けられ、該突出部の前記障子側には、金属製の突出部補強部材が設けられ、前記戸先框における対向する前記縦枠側の端面には、内方に向かって凹み前記上下方向に延びるとともに、前記突出部に係合可能な凹溝が樹脂部材で形成され、該凹溝において、屋内外方向に沿って配置される底面部には、第一加熱発泡材が設けられ、該第一加熱発泡材における対向する前記縦枠側の面には、金属製の框補強部材が設けられ、該框補強部材は、前記左右方向に沿って配置される見付け面部を有するとともに、前記第一加熱発泡材の発泡時に対向する前記縦枠側に変位可能に前記戸先框に固定されていることを特徴とする。
【０００７】
このように構成された建具では、火災時には、戸先框の樹脂部材で形成された凹溝の底面部に設けられた第一加熱発泡材が、対向する縦枠側に向かって発泡する。框補強部材は、発泡した第一加熱発泡材により、対向する縦枠側に押される。框補強部材は、第一加熱発泡材が対向する縦枠側に発泡した厚み分、対向する縦枠側に変位する。これにより、框補強部材の見付け面部は、縦枠の突出部の障子側に設けられた突出部補強部材と、屋内外方向に重なる。よって、障子の金属製の框補強部材の見付け面部は縦枠の金属製の突出部補強部材に支持されるため、障子が脱落することが抑制される。
【０００８】
また、本発明に係る建具では、前記見付け面部は、前記突出部の屋外側に前記左右方向に沿って配置される第一見付け面部と、前記突出部の屋内側に前記左右方向に沿って配置される第二見付け面部と、を有することが好ましい。
【０００９】
このように構成された建具では、火災時に、障子が屋内側に反ると、突出部の屋外側に左右方向に沿って配置される金属製の第一見付け面部が、縦枠の金属製の突出部補強部材に支持されるため、障子が屋内側に脱落することが抑制される。また、障子が屋外側に反ると、突出部の屋内側に左右方向に沿って配置される金属製の第二見付け面部が、縦枠の金属製の突出部補強部材に支持されるため、障子が屋外側に脱落することが抑制される。
【００１０】
また、本発明に係る建具では前記框補強部材は、前記第一加熱発泡材における対向する前記縦枠側の面に沿って配置される見込み面部を有し、該見込み面部における対向する前記縦枠側の面には、第二加熱発泡材が設けられていてもよい。
【００１１】
このように構成された建具では、火災時には、框補強部材における対向する縦枠側の面に設けられた第二加熱発泡材が、対向する縦枠側に向かって発泡する。これにより、縦枠と戸先框との間に形成される隙間が塞がれるため、火炎が当該隙間から屋内側に浸入することが抑制される。
【００１２】
また、本発明に係る建具では、前記框補強部材は、前記上下方向に延びるとともに、上下両端部近傍で前記戸先框に固定されていてもよい。
【００１３】
このように構成された建具では、上下方向に延びる框補強部材は、上下両端部近傍で戸先框に固定されている。よって、框補強部材は、上下両端部では膨らみ（変位し）にくいとともに、上下方向の中央では対向する縦枠側に膨らみ（変位し）やすい。
【００１４】
また、本発明に係る建具では、前記第一加熱発泡材の発泡時に、前記第一加熱発泡材が前記見込み面部を対向する前記縦枠側に押圧することで、前記框補強部材は対向する前記縦枠側に変位可能とされていてもよい。
【００１５】
このように構成された建具では、框補強部材の見込み面部は、第一加熱発泡材における対向する縦枠側の面に沿って配置されるため、火災時に、発泡した第一加熱発泡材により、対向する縦枠側に確実に押圧される。また、見込み面部と連結された見付け面部は、対向する縦枠側に変位する。これにより、見付け面部は、縦枠の突出部の障子側に設けられた突出部補強部材と、屋内外方向に重なる。よって、障子の金属製の框補強部材の見付け面部は縦枠の金属製の突出部補強部材に支持されるため、障子が脱落することがより一層抑制される。
【００１６】
また、本発明に係る建具では、前記縦枠の内部には、金属製の枠芯材が設けられ、前記突出部には、前記突出部補強部材よりも前記障子から離間する側に、金属製の突出部芯材が設けられ、前記枠芯材、前記突出部芯材及び前記突出部補強部材は、互いに連結されていてもよい。
【００１７】
このように構成された建具では、突出部において突出部補強部材よりも障子から離間する側に設けられた金属製の突出部芯材は、縦枠の金属製の枠芯材に連結されている。よって、突出部は縦枠に支持されているため、火災時に、突出部が傾倒することが抑制され、維持されやすい。さらに、突出部補強部材は、枠芯材及び突出部芯材に連結されている。よって、火災時に、突出部補強部材が突出部から脱落すること抑制される。
【発明の効果】
【００１８】
本発明に係る建具によれば、火災時に、障子の脱落を抑制することができる。
【図面の簡単な説明】
【００１９】
【図１】本発明の一実施形態に係る引き違い窓を屋内側から見た正面図である。
【図２】図１のＡ−Ａ線断面図である。
【図３】図１のＢ−Ｂ線断面図である。
【図４】図３のＣ部拡大図である。
【図５】本発明の一実施形態に係る引き違い窓の戸先框側を上方且つ屋内側から見た斜視図である。
【図６】本発明の一実施形態に係る引き違い窓の戸先框側の上端部の水平断面図であり、図３のＣ部拡大図に相当する図である。
【図７】図３のＣ部の拡大図の一部であり、火災時に、加熱発泡材が発泡した状態を示している。
【発明を実施するための形態】
【００２０】
以下、本発明の一実施形態による建築物の開口部に設けられる建具の一例として、引き違い窓を図１から図４に基づいて説明する。
図１は、本発明の一実施形態に係る引き違い窓を屋内側から見た正面図である。図２は、図１のＡ−Ａ線断面図である。図３は、図１のＢ−Ｂ線断面図である。
図１から図３に示すように、引き違い窓（建具）１００は、建築物の開口部に設けられ、四角形枠状に形成された枠体１と、枠体１に対して左右方向にスライド可能に設けられた一対の障子２と、を備えている。
なお、以下の説明において、屋外側と屋内側とを結ぶ方向を屋内外方向と称し、障子２の上下方向と交差して障子２に沿う方向を左右方向と称する。
【００２１】
枠体１は、上下方向に延在する上枠１１及び下枠１２と、上枠１１の両端部と下枠１２の両端部とをそれぞれ連結し上下方向に延在する縦枠１３と、を有している。本実施形態では、枠体１は、合成樹脂製の押出成形部材で構成されている。上枠１１、下枠１２及び縦枠１３は、両端部が斜め４５°に切断されて、互いの切断面が突き付けられて溶着されて枠体１が構成されている。
【００２２】
一対の障子２は、枠体１の屋外側及び屋内側にそれぞれ設けられている。一対の障子２は、障子２が閉じた状態で、枠体１内を閉塞するように配置されている。障子２は、四方枠状に形成された框体２０と、框体２０内に納められた複層ガラス３０と、を有している。
【００２３】
框体２０は、左右方向に延在する上框２１及び下框２２と、上框２１の両端部と下框２２の両端部とをそれぞれ連結し上下方向に延在する戸先框２３及び召合せ框２４（なお、上框２１、下框２２、戸先框２３及び召合せ框２４のそれぞれを単に「框」と称することがある。）と、を有している。本実施形態では、框体２０は、合成樹脂製の押出成形部材で構成されている。上框２１、下框２２、戸先框２３及び召合せ框２４は、同じ断面で形成されている。上框２１、下框２２、戸先框２３及び召合せ框２４は、両端部が斜め４５°に切断されて、互いの切断面が突き付けられて溶着されて框体２０が構成されている。下框２２には、下枠１２に沿って左右方向に走行可能な戸車（不図示）が設けられている。
【００２４】
各框２１〜２４には、それぞれ断面略コの字状のガラス保持溝Ｇ２（図４参照）が形成されている。複層ガラス３０の四辺の端部は、ガラス保持溝Ｇ２内に嵌め込まれている。複層ガラス３０の周縁部において、屋内側の面は、框に係止された押縁３６で押さえられている（図４参照）。また、複層ガラス３０の周縁部において、屋外側の面と框との間には、ガラスパッキン３７が嵌め込まれている。
【００２５】
次に、上記の引き違い窓１００の主に縦枠１３及び障子２の戸先框２３に設けられた芯材及び加熱発泡材について説明する。図４は、図３のＣ部拡大図である。
まず、縦枠１３について説明する。
図４に示すように、縦枠１３には、中空状に形成され、上下方向にのびる縦枠ホロー部Ｓ１が形成されている。縦枠ホロー部Ｓ１は、外見込み枠壁部４１と、内見込み枠壁部４２と、屋外側区画枠壁部４３と、屋内側区画枠壁部４４（図３参照）とにより形成されている。
【００２６】
外見込み枠壁部４１は、屋内外方向に沿って配置されている。内見込み枠壁部４２は、屋内外方向に配置され、外見込み枠壁部４１よりも障子２側に配置されている。屋外側区画枠壁部４３は、外見込み枠壁部４１と内見込み枠壁部４２とを連結するように配置されている。屋外側区画枠壁部４３は、左右方向に沿って配置されている。屋内側区画枠壁部４４は、外見込み枠壁部４１と内見込み枠壁部４２とを連結するように配置されている。屋内側区画枠壁部４４は、左右方向に沿って配置され、屋外側区画枠壁部４３よりも屋内側に配置されている。
【００２７】
縦枠ホロー部Ｓ１内には、枠芯材１１０が設けられている。枠芯材１１０は、水平断面略矩形状をなし、縦枠１３の延在方向（上下方向）にわたって配置されている。枠芯材１１０の障子２側には、屋外側及び屋内側に延びる延出面部１１１が設けられている（屋内側に延びる延出面部１１１は図３参照）。枠芯材１１０は、スチール等の金属により構成されている。
【００２８】
縦枠１３には、縦枠ホロー部Ｓ１よりも障子２側に、後述する障子２の戸先框２３を係合する突出部５０が設けられている。
【００２９】
突出部５０は、屋外側突出枠壁部５１と、屋内側突出枠壁部５２と、を有している。屋外側突出枠壁部５１及び屋内側突出枠壁部５２は、内見込み枠壁部４２から障子２側に延びている。屋外側突出枠壁部５１は、屋内側突出枠壁部５２よりも屋外側に配置されている。屋外側突出枠壁部５１と屋内側突出枠壁部５２とは、平行に配置されている。
【００３０】
屋外側突出枠壁部５１の障子２側と、屋内側突出枠壁部５２の障子２側とは、連結枠壁部５３により連結されている。内見込み枠壁部４２と、屋外側突出枠壁部５１と、屋内側突出枠壁部５２と、連結枠壁部５３とにより、突出部ホロー部Ｓ２が形成されている。
【００３１】
突出部ホロー部Ｓ２には、突出部芯材１２０が設けられている。突出部芯材１２０は、水平断面略コ字状をなし、屋内側に向かって開口するように配置されている。突出部芯材１２０は、縦枠１３の延在方向（上下方向）にわたって配置されている。突出部芯材１２０は、スチール等の金属により構成されている。
【００３２】
屋外側突出枠壁部５１の障子２側の端部と、連結枠壁部５３と、屋内側突出枠壁部５２の障子２側の端部により、アタッチメント支持溝Ｇ１が形成されている。屋外側突出枠壁部５１には、屋内側に向かって突出する係止片５１ａが設けられている。屋内側突出枠壁部５２には、屋外側に向かって突出する係止片５２ａが設けられている。
【００３３】
アタッチメント支持溝Ｇ１には、突出部アタッチメント（突出部補強部材）１３０が設けられている。突出部アタッチメント１３０は、縦枠１３の延在方向（上下方向）にわたって配置されている。突出部アタッチメント１３０は、スチール等の金属により構成されている。
【００３４】
突出部アタッチメント１３０は、基部１３１と、一対の外側突出片１３２と、一対の内側突出片１３３と、を有している。基部１３１は、屋内外方向に沿って配置されている。各外側突出片１３２は、基部１３１の屋内外方向の両端部から障子２から離間する側に向かって延びている。各内側突出片１３３は、基部１３１の屋内外方向の両端部から障子２側に向かって延びている。
【００３５】
アタッチメント支持溝Ｇ１の係止片５１ａ，５２ａは、突出部アタッチメント１３０の外側突出片１３２と内側突出片１３３とにより挟み込まれている。これにより、突出部アタッチメント１３０は、アタッチメント支持溝Ｇ１に係止して取り付けられている。
【００３６】
取付ネジ１３６が、突出部アタッチメント１３０、縦枠１３の連結枠壁部５３、突出部芯材１２０、縦枠１３の内見込み枠壁部４２に挿通されて、枠芯材１１０の延出面部１１１に螺合されている。このようにして、金属製の突出部アタッチメント１３０、金属製の突出部芯材１２０、金属製の枠芯材１１０が連結されている。
【００３７】
次に、戸先框２３について説明する。
戸先框２３は、左右方向に沿って配置され屋外側に配置される外框壁部６６が屋外側の面をなし、左右方向に沿って配置され屋内側に配置される内框壁部６９により屋内側の面をなしている。
【００３８】
外框壁部６６と内框壁部６９との間において、中空状に形成され、上下方向にのびる框ホロー部Ｓ１１が形成されている。框ホロー部Ｓ１１は、屋外側框壁部６１と、屋内側框壁部６２と、外見込み框壁部（底面部）６３と、内見込み框壁部６４とにより形成されている。
【００３９】
屋外側框壁部６１は、左右方向に沿って配置されている。屋内側框壁部６２は、左右方向に沿って配置され、屋外側框壁部６１よりも屋内側に配置されている。外見込み框壁部６３は、屋外側框壁部６１と屋内側框壁部６２とを連結している。外見込み框壁部６３は、屋内外方向に沿って配置されている。内見込み框壁部６４は、屋外側框壁部６１と屋内側框壁部６２とを連結している。内見込み框壁部６４は、屋内外方向に沿って配置され、外見込み框壁部６３よりも対向する縦枠１３から離間する側に配置されている。
【００４０】
内見込み框壁部６４における対向する縦枠１３から離間する側に沿って、ガラス保持溝Ｇ２が形成されている。換言すると、内見込み框壁部６４では、対向する縦枠１３から離間する側を向く面に沿ってガラス保持溝Ｇ２を形成されるとともに、対向する縦枠１３側を向く面に沿って框ホロー部Ｓ１１が形成されている。
【００４１】
屋外側框壁部６１における屋内側を向く面には、加熱発泡材Ｆ１が設けられている。加熱発泡材Ｆ１は、長尺状に形成され、厚さ方向（発泡する方向）を屋内外方向に向けて配置されている。加熱発泡材Ｆ１は、戸先框２３の延在方向（上下方向）の両端部を除いて略全長にわたって配置されている。
【００４２】
加熱発泡材Ｆ１に沿って、框芯材１４０が設けられている。框芯材１４０は、戸先框２３の延在方向（上下方向）にわたって長尺状に形成されている。
【００４３】
框芯材１４０は、水平断面略コ字状をなし、屋内側に向かって開口するように配置されている。框芯材１４０は、スチール等の金属により構成されている。框芯材１４０は、底面部１４１と、側面部１４２，１４３と、を有する。
【００４４】
底面部１４１は、加熱発泡材Ｆ１における屋内側を向く面に当接するように配置されている。側面部１４２，１４３は、底面部１４１の左右方向の両端部からそれぞれ屋内側に向かって延びている。側面部１４２は、外見込み框壁部６３における対向する縦枠１３から離間する側を向く面に沿って配置されている。側面部１４３は、内見込み框壁部６４における対向する縦枠１３側を向く面に沿って配置されている。
なお、上框２１、下２２及び召合せ框２４は、戸先框２３と同様に框芯材１４０が設けられている。各框芯材１４０の長手方向の端部は、隣接する框芯材の長手方向の端部と不図示の連結具で連結されている。これにより、框体２０の框芯材１４０は連結具を介して四方枠状をなし、剛性が高められている。
【００４５】
框芯材１４０の底面部１４１における屋内側を向く面には、加熱発泡材Ｆ２が設けられている。加熱発泡材Ｆ２は、長尺状に形成され、厚さ方向（発泡する方向）を屋内外方向に向けて配置されている。加熱発泡材Ｆ２は、戸先框２３の延在方向（上下方向）の両端部を除いて略全長にわたって配置されている。
【００４６】
戸先框２３には、屋外側框壁部６１における屋外側を向く面に沿って、中空状に形成され、上下方向にのびる框ホロー部Ｓ１２が形成されている。框ホロー部Ｓ１２は、屋外側框壁部６１と、外框壁部６６と、外見込み框壁部６７と、内見込み框壁部６８とにより形成されている。
【００４７】
外見込み框壁部６７は、屋外側框壁部６１と外框壁部６６とを連結している。外見込み框壁部６７は、外見込み框壁部６３の屋外側の端部から屋外側に向かって延びている。内見込み框壁部６８は、屋外側框壁部６１と外框壁部６６とを連結している。内見込み框壁部６８は、内見込み框壁部６４の屋外側の端部から屋外側に向かって延びている。
【００４８】
屋外側框壁部６１における屋外側を向く面には、加熱発泡材Ｆ３が設けられている。加熱発泡材Ｆ３は、長尺状に形成され、厚さ方向（発泡する方向）を屋内外方向に向けて配置されている。加熱発泡材Ｆ３は、戸先框２３の延在方向（上下方向）の両端部を除いて略全長にわたって配置されている。
【００４９】
外見込み框壁部６３における対向する縦枠１３側を向く面に沿って、係合溝（凹溝）Ｇ３が形成されている。係合溝Ｇ３は、戸先框２３の延在方向（上下方向）にわたって形成されている。
【００５０】
係合溝Ｇ３は、外見込み框壁部６３と、第一屋外側框壁部７１と、屋外側段框壁部７２と、第二屋外側框壁部７３と、第一屋内側框壁部７４と、屋内側段框壁部７５と、第二屋内側框壁部７６とにより形成されている。
【００５１】
第一屋外側框壁部７１は、屋外側框壁部６１における対向する縦枠１３側の端部から、対向する縦枠１３側に延びている。屋外側段框壁部７２は、第一屋外側框壁部７１における対向する縦枠１３側の端部から屋内側に向かって延びている。第二屋外側框壁部７３は、屋外側段框壁部７２の屋内側の端部から対向する縦枠１３側に向かって延びている。このように、外見込み框壁部６３、第一屋外側框壁部７１及び屋外側段框壁部７２により、屋外側に凹む凹部Ｇ４が形成されている。
【００５２】
第一屋内側框壁部７４は、屋内側框壁部６２における対向する縦枠１３側の端部から、対向する縦枠１３側に延びている。屋内側段框壁部７５は、第一屋内側框壁部７４における対向する縦枠１３側の端部から屋外側に向かって延びている。第二屋内側框壁部７６は、屋内側段框壁部７５の屋外側の端部から対向する縦枠１３側に向かって延びている。このように、外見込み框壁部６３、第一屋内側框壁部７４及び屋内側段框壁部７５により、屋内側に凹む凹部Ｇ５が形成されている。
【００５３】
外見込み框壁部６３における対向する縦枠１３側を向く面には、加熱発泡材（第一加熱発泡材）Ｆ４が配置されている。加熱発泡材Ｆ４は、後述する框芯材１５０に貼り付けられている。加熱発泡材Ｆ４は、長尺状に形成され、厚さ方向（発泡する方向）を左右方向に向けて配置されている。
【００５４】
外見込み框壁部６３には、上下方向に離間して複数のストッパユニット８２が設けられている（図２参照）。ストッパユニット８２は、係合溝Ｇ３内に配置され、凹部Ｇ４，Ｇ５側に突出した形状をなしている。ストッパユニット８２は、縦枠１３の突出部５０に当接可能とされている。外見込み框壁部６３に設けられた加熱発泡材Ｆ４は、外見込み框壁部６３におけるストッパユニット８２が配置される箇所及び両端部を除いて、外見込み框壁部６３の延在方向（上下方向）の略全長にわたって配置されている。
【００５５】
加熱発泡材Ｆ４に沿って、框芯材（框補強部材）１５０が設けられている。框芯材１５０は、外見込み框壁部６３におけるストッパユニット８２が配置される箇所以外の箇所において、加熱発泡材Ｆ４の延在方向（上下方向）にわたって配置されている。
【００５６】
框芯材１５０は、水平断面略コ字状をなし、対向する縦枠１３側に向かって開口するように配置されている。框芯材１５０は、スチール等の金属により構成されている。框芯材１５０は、底面部（見込み面部）１５１と、一対の側面部１５２，１５３と、を有する。框芯材１５０は、框芯材１４０よりも薄板の鋼板で形成されている。
【００５７】
底面部１５１は、加熱発泡材Ｆ４における対向する縦枠１３側を向く面に当接するように配置されている。側面部１５２，１５３は、底面部１５１の屋内外方向の両端部からそれぞれ対向する縦枠１３側に向かって延びている。側面部（第一見付け面部、見付け面部）１５２は、第一屋外側框壁部７１、屋外側段框壁部７２及び第二屋外側框壁部７３における屋内側を向く面に沿って配置されている。側面部１５２における対向する縦枠１３側の端部は、第二屋外側框壁部７３に当接している。側面部（第二見付け面部、見付け面部）１５３は、第一屋内側框壁部７４、屋内側段框壁部７５及び第二屋内側框壁部７６における屋外側を向く面に沿って配置されている。側面部１５３における対向する縦枠１３側の端部は、第二屋内側框壁部７６に当接している。
【００５８】
框芯材１５０の底面部１５１における対向する縦枠１３側を向く面には、加熱発泡材（第二加熱発泡材）Ｆ５が設けられている。加熱発泡材Ｆ５は、長尺状に形成され、厚さ方向（発泡する方向）を左右方向に向けて配置されている。加熱発泡材Ｆ５は、外見込み框壁部６３におけるストッパユニット８２が配置される箇所及び両端部を除いて、框芯材１５０の底面部１５１の延在方向（上下方向）の略全長にわたって配置されている。
【００５９】
螺子１５６が、加熱発泡材Ｆ５、框芯材１５０の底面部１５１、加熱発泡材Ｆ４及び外見込み框壁部６３に挿通され、框芯材１４０の側面部１４２に螺合されている。螺子１５６は、框芯材１５０の上下両端部近傍に設けられている（図２参照）。
【００６０】
係合溝Ｇ３の凹部Ｇ４には、第一屋外側框壁部７１における屋内側を向く面に当接するように加熱発泡材Ｆ６が配置されている。加熱発泡材Ｆ６は、長尺状に形成され、厚さ方向（発泡する方向）を屋内外方向に向けて配置されている。加熱発泡材Ｆ６は、第一屋外側框壁部７１におけるストッパユニット８２が配置される箇所及び両端部を除いて、第一屋外側框壁部７１の延在方向（上下方向）の略全長にわたって配置されている。
【００６１】
障子２が閉じられた状態において、障子２の戸先框２３に形成された係合溝Ｇ３内には、縦枠１３の突出部５０の先端部側が挿入されている。縦枠１３の突出部アタッチメント１３０の内側突出片１３３の先端部と、戸先框２３の框芯材１５０の側面部１５２，１５３における対向する縦枠１３側の端部とは、屋内外方向に沿う略同一平面上にある。換言すると、突出部アタッチメント１３０と框芯材１５０とは、屋内外方向に重なっていない。
【００６２】
第二屋外側框壁部７３における対向する縦枠１３側の端部には、屋外側に延びる端面框壁部７７が設けられている。外框壁部６６における対向する縦枠１３側の端部には、屋内側に延びる端面框壁部７９が設けられている。端面框壁部７７の屋外側の端部と、端面框壁部７９の屋内側の端部との間は、上下方向に延びるスリットＴ１とされている。スリットＴ１には、気密材１６６が嵌め込まれている。気密材１６６の屋内側の先端部は、障子２が閉じられた状態にで、突出部５０の屋外側突出枠壁部５１に当接されている。
【００６３】
第二屋内側框壁部７６における対向する縦枠１３側の端部には、屋内側に延びる端面框壁部７８が設けられている。内框壁部６９における対向する縦枠１３側の端部には、屋外側に延びる端面框壁部８０が設けられている。端面框壁部７８の屋内側の端部と、端面框壁部８０の屋外側の端部との間は、上下方向に延びるスリットＴ２とされている。スリットＴ２には、気密材１６７が嵌め込まれている。気密材１６７の屋外側の先端部は、障子２が閉じられた状態にで、突出部５０の屋内側突出枠壁部５２に当接されている。
【００６４】
端面框壁部７７，７８，７９，８０は、戸先框２３における対向する縦枠１３側の端面とされている。つまり、係合溝Ｇ３は、端面框壁部（端面）７７，７８，７９，８０から対向する縦枠１３から離間する側に向かって凹むように形成されている。
【００６５】
図５は、障子２の戸先框２３側を上方且つ屋内側から見た斜視図である。
図５に示すように、上框２１にも、戸先框２３と同様に、下方に向かって凹む係合溝Ｇ３が形成されている。上框２１の係合溝Ｇ３内には、加熱発泡材Ｆ４（不図示）が配置され、加熱発泡材Ｆ４の上方に框芯材１５０が配置され、框芯材１５０の上方に加熱発泡材Ｆ５が配置されている。これら加熱発泡材Ｆ５、框芯材１５０及び加熱発泡材Ｆ４は、上框２１内に設けられた框芯材１４０に螺子１５６に固定されている。
【００６６】
戸先框２３の上端部から上框２１における対向する縦枠１３（図１参照、以下同じ。）側（障子２の上端部且つ対向する縦枠１３側の端部）には、係合溝Ｇ３が連続して形成されている。障子２の上端部且つ対向する縦枠１３側の端部において、係合溝Ｇ３には、コーナー部材１６０が設けられている。
【００６７】
図６は、障子２の戸先框２３側の上端部の水平断面図であり、図３のＣ部拡大図に相当する図である。
図５及び図６に示すように、コーナー部材１６０は、スチール等の金属により構成されている。コーナー部材１６０は、左右方向に沿って配置される一対のコーナー見付け面部１６１，１６２と、コーナー見付け面部１６１，１６２を連結する複数のコーナー連結部１６３と、を有している。
【００６８】
コーナー見付け面部１６１は、コーナー見付け面部１６２よりも屋外側に配置されている。コーナー見付け面部１６１，１６２の下部（下部見付け面部）１６１ｂ，１６２ｂは、戸先框２３側に配置されている。コーナー見付け面部１６１，１６２の上部（上部見付け面部）１６１ｕ，１６２ｕは、上框２１側に配置されている。
【００６９】
下部見付け面部１６１ｂは、戸先框２３の第一屋外側框壁部７１よりも屋内側に配置されている。下部見付け面部１６１ｂにおける対向する縦枠１３から離間する側の端部は、外見込み框壁部６３に当接している。下部見付け面部１６１ｂにおける対向する縦枠１３側の端部には、対向する縦枠１３側に向かうにしたがって次第に屋外側に向かう傾斜片部１６１ｃが設けられている。
【００７０】
傾斜片部１６１ｃの先端部（対向する縦枠１３側の端部）は、第一屋外側框壁部７１と屋外側段框壁部７２とにより形成される角部に配置されている。
【００７１】
下部見付け面部１６２ｂは、戸先框２３の第一屋内側框壁部７４よりも屋外側に配置されている。下部見付け面部１６２ｂにおける対向する縦枠１３から離間する側の端部は、外見込み框壁部６３に当接している。下部見付け面部１６２ｂにおける対向する縦枠１３側の端部には、対向する縦枠１３側に向かうにしたがって次第に屋内側に向かう傾斜片部１６２ｃが設けられている。
【００７２】
傾斜片部１６２ｃの先端部（対向する縦枠１３側の端部）は、第一屋内側框壁部７４と屋内側段框壁部７５とにより形成される角部に配置されている。
【００７３】
コーナー連結部１６３は、下部見付け面部１６１ｂにおける対向する縦枠１３から離間する側の部分と下部見付け面部１６２ｂにおける対向する縦枠１３から離間する側の部分とを連結している。コーナー連結部１６３は、上下方向に離間して２箇所に設けられている。
なお、下框２２には、上框２１を上下反転させた形状で係合溝Ｇ３が形成され、上框２１側と同様に、障子２の下端部且つ対向する縦枠１３側の端部には、コーナー部材１６０が設けられている。
【００７４】
本実施形態に係る引き違い窓１００において、火災が発生した場合には、各加熱発泡材が発泡する。具体的には、加熱発泡材Ｆ１は屋内外方向に発泡して、戸先框２３の屋外側框壁部６１と框芯材１４０の底面部１４１との間の隙間を塞ぐ。加熱発泡材Ｆ２は屋内側に発泡して、戸先框２３の框ホロー部Ｓ１１を塞ぐ。加熱発泡材Ｆ３は屋外側に発泡して、戸先框２３の框ホロー部Ｓ１２を塞ぐ。
【００７５】
また、加熱発泡材Ｆ４は、対向する縦枠１３から離間する側に発泡する。外見込み框壁部６３が溶融して、発泡した加熱発泡材Ｆ４の対向する縦枠１３から離間する側の部分が框芯材１４０の側面部１４２に当接する。框芯材１４０は、上框２１の框芯材１４０及び下框２２の框芯材１４０と連結され全体として四方枠状をなし剛性が高いため、框芯材１４０自体が変形や変位しにくい。よって、加熱発泡材Ｆ４は対向する縦枠１３から離間する側へこれ以上発泡できない。この状態で、加熱発泡材Ｆ４の左右方向への発泡する力により、框芯材１４０よりも強度が弱い（薄板の）框芯材１５０が対向する縦枠１３側に変形する。具体的には、框芯材１５０は上下両端部近傍で螺子１５６により框芯材１４０の側面部１４２に固定されているため、框芯材１５０は上下方向の中央では対向する縦枠１３側に大きく膨らむ（対向する縦枠１３側に変位する）とともに、上下両端部ではあまり膨らまない（対向する縦枠１３側に変位しない）。
【００７６】
図７は、図３のＣ部の拡大図の一部であり、火災時に、加熱発泡材Ｆ４，Ｆ５，Ｆ６が発泡した状態を示している。なお、図７において、縦枠１３及び戸先框２３の樹脂部材が溶融していないものとして示している。
通常の状態で、框芯材１５０の側面部１５２，１５３における対向する縦枠１３側の端部と縦枠１３の突出部アタッチメント１３０の内側突出片１３３の先端部とは、屋内外方向に沿う同一平面上にあるため、図７に示すように、火災時に框芯材１５０が対向する縦枠１３側に変位すると、框芯材１５０の側面部１５２，１５３における対向する縦枠１３側の端部１５２ａ，１５３ａと突出部アタッチメント１３０とは屋内外方向に重なる。
【００７７】
さらに、加熱発泡材Ｆ４が発泡することで、火炎の熱が金属製の框芯材１５０の底面部１５１に伝達されることが抑制される。
【００７８】
また、加熱発泡材Ｆ５は、対向する縦枠１３側に発泡して、戸先框２３の係合溝Ｇ３を塞ぐ。図７に示すように、加熱発泡材Ｆ５は、係合溝Ｇ３からはみ出るまで発泡する。
【００７９】
また、加熱発泡材Ｆ６は、屋内側に発泡して、戸先框２３の第一屋外側框壁部７１と框芯材１５０の側面部１５２との間の隙間を塞ぐ。なお、発泡した加熱発泡材Ｆ６は、加熱した加熱発泡材Ｆ４と一体となることもある（図７参照）。さらに、加熱発泡材Ｆ６が発泡することで、火炎の熱が金属製の框芯材１５０の側面部１５２に伝達されることが抑制される。
【００８０】
このように構成された引き違い窓１００では、火災時には、戸先框２３の係合溝Ｇ３の外見込み框壁部６３に設けられた加熱発泡材Ｆ４が、対向する縦枠１３から離間する側に発泡する。外見込み框壁部６３が溶融して、発泡した加熱発泡材Ｆ４の対向する縦枠１３から離間する側の部分が框芯材１４０の側面部１４２に当接する。框芯材１４０は、上框２１の框芯材１４０及び下框２２の框芯材１４０と連結され全体として四方枠状をなし剛性が高いため、框芯材１４０自体が変形や変位しにくい。よって、加熱発泡材Ｆ４は対向する縦枠１３から離間する側へこれ以上発泡できない。この状態で、加熱発泡材Ｆ４の左右方向への発泡する力により、框芯材１４０よりも強度が弱い（薄板の）框芯材１５０が対向する縦枠１３側に変形する。これにより、框芯材１５０は、縦枠１３の突出部５０の障子２側に設けられた突出部アタッチメント１３０と、屋内外方向に重なる。障子２が屋内側に反ると、突出部５０の屋外側に配置される金属製の側面部１５２が、縦枠１３の金属製の突出部アタッチメント１３０に支持される。また、障子２が屋外側に反ると、突出部５０の屋内側に配置される金属製の側面部１５３が、縦枠１３の金属製の突出部アタッチメント１３０に支持される。よって、障子２の金属製の框芯材１５０は縦枠１３の金属製の突出部アタッチメント１３０に支持されるため、障子２が脱落することが抑制される。
【００８１】
また、火災時には、框芯材１５０における対向する縦枠１３側の面に設けられた第二加熱発泡材Ｆ５が、対向する縦枠１３側に向かって発泡する。これにより、縦枠１３と戸先框２３との間に形成される隙間を塞がれるため、火炎が当該隙間から屋内側に浸入することが防止される。
【００８２】
また、上下方向に延びる框芯材１５０は、上下両端部近傍で戸先框２３に固定されている。よって、框芯材１５０は、上下両端部では膨らみ（変位し）にくいとともに、上下方向の中央では対向する縦枠１３側に膨らみ（変位し）やすい。
【００８３】
また、框芯材１５０の底面部１５１は、加熱発泡材Ｆ４における対向する縦枠１３側の面に沿って配置されるため、火災時に、発泡した加熱発泡材Ｆ４により、対向する縦枠１３側に確実に押圧される。また、底面部１５１と連結された側面部１５２，１５３は、対向する縦枠１３側に変位する。これにより、側面部１５２，１５３は、縦枠１３の突出部５０の障子２側に設けられた突出部アタッチメント１３０と、屋内外方向に重なる。よって、障子の金属製の框芯材１５０の側面部１５２，１５３は縦枠の金属製の突出部アタッチメント１３０に支持されるため、障子が脱落することがより一層抑制される。
【００８４】
また、突出部５０において突出部アタッチメント１３０よりも障子２から離間する側に設けられた金属製の突出部芯材１２０は、縦枠１３の金属製の枠芯材１１０に連結されている。よって、突出部５０は縦枠１３に支持されているため、火災時に、突出部５０が傾倒することが抑制され、維持されやすい。さらに、突出部アタッチメント１３０は、枠芯材１１０及び突出部芯材１２０に連結されている。よって、火災時に、突出部アタッチメント１３０が突出部５０から脱落すること抑制される。
【００８５】
なお、上述した実施の形態において示した各構成部材の諸形状や組み合わせ等は一例であって、本発明の主旨から逸脱しない範囲において設計要求等に基づき種々変更可能である。
【００８６】
例えば、上記に示す実施形態において、框芯材１４０や、加熱発泡材Ｆ１，Ｆ２，Ｆ３等は設けられていなくてもよい。
【００８７】
また、上記に示す実施形態では、枠体１及び框体２０は樹脂製であるが、本発明はこれに限られない。枠体１では、少なくとも突出部５０が樹脂部材で成形されていればよい。また、框体２０では、戸先框２３の少なくとも係合溝Ｇ３（外見込み框壁部６３、第一屋外側框壁部７１、屋外側段框壁部７２、第二屋外側框壁部７３、第一屋内側框壁部７４、屋内側段框壁部７５及び第二屋内側框壁部７６）が樹脂部材で成形されていればよい。例えば、框体２０の最も屋外側の面や最も屋内側の面に、アルミニウム等の金属部材が設けられていてもよい。
【００８８】
また、上記に示す実施形態では、框芯材１５０は水平断面略コ字状をなしているが、本発明はこれに限られない。框補強部材は、左右方向に沿って配置される見付け面部を有するとともに、第一加熱発泡材の発泡時に対向する縦枠１３側に変位可能に戸先框に固定されていればよく、例えば、見付け面部と見付け面部の対向する縦枠１３から離間する側の端部から屋内外方向に沿って延びる見込み面部とを有し、水平断面視略Ｌ字状をなす構成であってもよい。また、見付け面部としては、突出部５０の屋内側に配置される側面部１５３（第二見付け面部）を備えることが好ましい。これにより、障子２が屋外側に反って、障子２が屋外側に脱落することが抑制される。
【００８９】
また、上記に示す実施形態では、框芯材１５０は、上下両端部近傍で框芯材１４０に固定されているが、本発明はこれに限られない。例えば、框芯材１５０の上下方向の中央が螺子で框芯材１４０に固定されていれば、框芯材１５０の上下方向中央では膨らみ（変位し）にくいとともに、上下両端部では対向する縦枠１３側に膨らみ（変位し）やすい。
【符号の説明】
【００９０】
１…枠体
２…障子
１１…上枠
１２…下枠
１３…縦枠
２０…框体
２１…上框
２２…下框
２３…戸先框
２４…召合せ框
３０…複層ガラス
５０…突出部
６１…屋外側框壁部
６２…屋内側框壁部
６３…外見込み框壁部（底面部）
６４…内見込み框壁部
６６…外框壁部
６７…外見込み框壁部
６８…内見込み框壁部
７１…第一屋外側框壁部
７２…屋外側段框壁部
７３…第二屋外側框壁部
７４…第一屋内側框壁部
７５…屋内側段框壁部
７６…第二屋内側框壁部
７７，７８，７９，８０…端面框壁部（端面）
８２…ストッパユニット
１００…引き違い窓（建具）
１１０…枠芯材
１２０…突出部芯材
１３０…突出部アタッチメント（突出部補強部材）
１４０…框芯材
１５０…框芯材（框補強部材）
１５１…底面部（見込み面部）
１５２…側面部（第一見付け面部、見付け面部）
１５３…側面部（第二見付け面部、見付け面部）
Ｆ１，Ｆ２，Ｆ３，Ｆ６…加熱発泡材
Ｆ４…加熱発泡材（第一加熱発泡材）
Ｆ５…加熱発泡材（第二加熱発泡材）
Ｇ１…アタッチメント支持溝
Ｇ２…ガラス保持溝
Ｇ３…係合溝（凹溝）
Ｓ１…縦枠ホロー部
Ｓ２…突出部ホロー部
Ｓ１１，Ｓ１２…框ホロー部
【図１】
2019065484.tif 000003
【図２】
2019065484.tif 000004
【図３】
2019065484.tif 000005
【図４】
2019065484.tif 000006
【図５】
2019065484.tif 000007
【図６】
2019065484.tif 000008
【図７】
2019065484.tif 000009